(57)【要約】【課題】多数のネットワーク機器からなるネットワークにおいても容易に所望なネットワーク機器を識別することが可能なネットワーク機器検索方法及びネットワーク機器検索装置を提供することを目的とする。【解決手段】ネットワーク機器は、キーワードとして、例えば、「産業用装置」、「ＳＴＯＰ」、及び「Ａ０００２」がキーワード欄４０に入力又は選択されると、これらの全ての条件を満たす識別情報レコード５１−１〜５１−９までのデータを取り出し、そのデータに基づくリンク４１を画面に表示する。【選択図】  図４
2004302561.tif 000002
【特許請求の範囲】
【請求項１】
コンピュータにより、ネットワークに接続される複数のネットワーク機器の中から所望なネットワーク機器を検索するネットワーク機器検索方法であって、
予め前記複数のネットワーク機器をそれぞれ識別するための識別情報を、前記複数のネットワーク機器毎に前記ネットワーク機器の状態を示す状態情報と関連付けて記録手段に記録し、
入力される前記状態情報に基づいて、前記記録手段から所定の前記識別情報を検索することを特徴とするネットワーク機器検索方法。
【請求項２】
請求項１に記載のネットワーク機器検索方法であって、
前記状態情報を１以上表示手段に表示し、
前記表示手段に表示される前記１以上の状態情報の中から、ある状態情報が選択されると、該選択された状態情報に基づいて、前記記録手段から所定の前記識別情報を検索し、
前記検索された前記識別情報を前記表示手段に表示することを特徴とするネットワーク機器検索方法。
【請求項３】
請求項２に記載のネットワーク機器検索方法であって、
前記表示手段に表示された識別情報の中から、ある識別情報が選択されると、該選択された識別情報に基づく前記ネットワーク機器に関する情報を前記表示手段に表示することを特徴とするネットワーク機器検索方法。
【請求項４】
請求項１乃至３の何れか１項に記載のネットワーク機器検索方法であって、
前記記録手段に記録される前記識別情報又は前記状態情報に変更がある場合、全ての前記ネットワーク機器が備える記録手段に記録される識別情報及び状態情報を変更することを特徴とするネットワーク機器検索方法。
【請求項５】
請求項１乃至４の何れか１項に記載のネットワーク機器検索方法であって、
前記状態情報は、前記ネットワーク機器の種類を示す種別情報、前記ネットワーク機器が配置されている位置を示す位置情報、前記ネットワーク機器が稼動しているか否かを示す稼動情報、前記ネットワーク機器が生産している製品の品種を示す品種情報、又は前記ネットワーク機器の生産効率を示す効率情報であることを特徴とするネットワーク機器検索方法。
【請求項６】
ネットワークに接続される複数のネットワーク機器の中から所望なネットワーク機器を検索するネットワーク機器検索装置であって、
予め前記複数のネットワーク機器をそれぞれ識別するための識別情報を、前記複数のネットワーク機器毎に前記ネットワーク機器の状態情報と関連付けて記録する記録手段と、
入力される前記状態情報に基づいて、前記記録手段から所定の前記識別情報を検索する検索手段と、
を備えることを特徴とするネットワーク機器検索装置。
【発明の詳細な説明】
【０００１】
【発明の属する技術分野】
本発明は、ネットワークに接続される複数のネットワーク機器の中から所望なネットワーク機器を検索するためのネットワーク機器検索方法及びネットワーク機器検索装置に関する。
【０００２】
【従来の技術】
今日のインターネットやＷＷＷ（ＷｏｒｌｄＷｉｄｅＷｅｂ）の技術の発展により、織機などの産業用機器は、Ｗｅｂ（ＷＷＷ）サーバやＷｅｂブラウザなどを備え、ネットワーク機器としてＬＡＮ（ＬｏｃａｌＡｒｅａＮｅｔｗｏｒｋ）などのネットワークに接続されるようになった（例えば、特許文献１及び特許文献２参照）。そして、もはや、ネットワーク機器＝コンピュータという図式は成り立たなくなり、ユーザの取り扱うネットワーク機器の数と種類は膨大なものとなっている。
【０００３】
そして、従来より、このネットワークに接続されている膨大なネットワーク機器の中から所望なネットワーク機器を検索するためのネットワーク機器検索方法がいろいろ考えられている。例えば、ＬＡＮ等のシリアル通信にて複数のネットワーク機器を接続して相互に通信する場合、それぞれのネットワーク機器には、そのネットワーク機器のハードウェアやソフトウェアが処理しやすい番号（ＭＡＣ（ＭｅｄｉａＡｃｃｅｓｓＣｏｎｔｒｏｌ）アドレス、ＴＣＰ／ＩＰ（ＴｒａｎｓｍｉｓｓｉｏｎＣｏｎｔｒｏｌＰｒｏｔｏｃｏｌ／ＩｎｔｅｒｎｅｔＰｒｏｔｏｃｏｌ）におけるＩＰアドレス、又はシリアル通信データに付加されるアドレスなど）が付加され、それぞれのネットワーク機器を識別できるようにしている。そして、このようなネットワーク機器を識別するための番号をサーバなどに集中管理させたり、個々のネットワーク機器で管理させたりすることよって、多数のネットワーク機器の中から所望なネットワーク機器を検索している。
【０００４】
しかし、一般的に、このように、ネットワーク機器毎に識別番号を付けることは、その識別番号の多くが数字や記号の列で示されており、ユーザにとってその識別番号は覚え難い。そこで、各ネットワーク機器をユーザが識別できるように、ユーザにとって分かりやすい名前をそれぞれのネットワーク機器に付けることが行われている。このように、従来のネットワーク機器検索方法では、ネットワーク機器のハードウェアやソフトウェアは、識別番号などの数値データをネットワーク機器毎に付けている。一方、ユーザは、意味のついた覚えやすい名前をネットワーク機器毎に付けている。
【０００５】
ところで、例えば、特許文献１の技術を実施することによって、将来的には、ＷｅｂサーバとＷｅｂブラウザとを備える１００〜１０００台以上のネットワーク機器がＬＡＮに接続される大規模な工場が誕生する可能性がある。
【０００６】
【特許文献１】
特開２００３−５８２５号  （第３〜６頁、第４図）
【０００７】
【特許文献２】
特開２００２−２０４２８１号  （第６〜１０頁、第１図）
【０００８】
【発明が解決しようとする課題】
しかしながら、このような大規模な工場において、ユーザがネットワーク機器毎の各データを参照する際には、以下のような問題点が存在する。
１）表示装置としてＷｅｂブラウザを備えるネットワーク機器は、他のネットワーク機器やＷｅｂコンテンツを指定するのに、ＵＲＬ（ＵｎｉｆｏｒｍＲｅｓｏｕｒｃｅＬｏｃａｔｏｒ）が入力される必要があり不便であるという問題がある。そして、この問題を解消するために、ネットワーク機器にキーボード（ハード的又はソフト的）などを付加することが考えられるが、パーソナルコンピュータなどの凡庸コンピュータとは使われ方や使用環境も異なるため、使い勝手が悪い。また、キーボードを付加することは、コスト高にもつながる。
【０００９】
２）また、１）の問題を解決する方法として、数値や文字の入力無しに、表示装置上のある箇所をクリックする（又はタッチパネルのある箇所を指で押す）ことにより予め指定された場所にジャンプできるハイパーリンクを利用することが考えられる。しかし、ハイパーリンクは、例えば、ＷＷＷのホームページやドキュメントに埋め込まれているために、動的にリンク先を変更したり、ハイパーリンクの追加や削除を行ったりする場合は、ホームページやドキュメントの書換えが必要である。頻繁にネットワーク機器の電源がオン・オフされたり、また、機械の入れ替えなどが行われる繊維工場などの産業分野においては、その都度、ネットワーク機器のコンテンツ（ホームページやドキュメント）を変更する必要があるため不便である。
【００１０】
３）また、２）問題の解決方法として、ハイパーリンクを持つコンテンツをＷＷＷのホームページとして提供するサーバを用意し、全てのネットワーク機器は、このサーバが提供するハイパーリンクを持ったホームページを経由して目的のネットワーク機器を指定することが考えられる。そして、コンテンツの変更がある場合は、サーバのコンテンツのみを変更すればよい。また、ＤＮＳ（ＤｏｍａｉｎＮａｍｅＳｙｓｔｅｍ）サーバの技術を応用してネットワーク機器の名称やアドレスなどを動的に取得してコンテンツを自動的に変更することも考えられる。
【００１１】
しかしながら、ネットワーク機器が他のネットワーク機器にアクセスする場合、必ず他のサーバが必要となり、この他のサーバは常時稼動させる必要がある。結果的には、サーバの安定運用のための特殊なスキルやコストが必要となる。
このように、１００〜１０００以上のネットワーク機器からなる大規模なネットワークでのネットワーク機器の検索方法には、従来技術では解決できない問題がある。それは、いくら覚えやすい名前を各ネットワーク機器に付加しても、１０００以上の名前を覚えることはユーザにとって困難であるという問題である。また、名前だけで目的のネットワーク機器を探し出すことは非効率でもある。また、ネットワーク機器が多いために間違ってネットワーク機器を指定してしまうおそれがあるという問題もある。
【００１２】
本発明は、上記問題点を考慮し、多数のネットワーク機器からなるネットワークにおいても容易に所望なネットワーク機器を検索することが可能なネットワーク機器検索方法及びネットワーク機器検索装置を提供することを目的とする。
【００１３】
【課題を解決するための手段】
上記の課題を解決するために本発明では、以下のような方法を採用した。
すなわち、本発明のネットワーク機器検索方法は、コンピュータにより、ネットワークに接続される複数のネットワーク機器の中から所望なネットワーク機器を検索するネットワーク機器検索方法であって、予め上記複数のネットワーク機器をそれぞれ識別するための識別情報を、上記複数のネットワーク機器毎に上記ネットワーク機器の状態を示す状態情報と関連付けて記録手段に記録し、入力される上記状態情報に基づいて、上記記録手段から所定の上記識別情報を検索することを特徴とする。
【００１４】
また、上記ネットワーク機器検索方法は、上記状態情報を１以上表示手段に表示し、上記表示手段に表示される上記１以上の状態情報の中から、ある状態情報が選択されると、該選択された状態情報に基づいて、上記記録手段から所定の上記識別情報を検索し、該検索された識別情報を上記表示手段に表示するようにしてもよい。
【００１５】
また、上記ネットワーク機器検索方法は、上記表示手段に表示された識別情報の中から、ある識別情報が選択されると、該選択された識別情報に基づく上記ネットワーク機器に関する情報を上記表示手段に表示するようにしてもよい。
また、上記ネットワーク機器検索方法は、上記記録手段に記録される上記識別情報又は上記状態情報に変更がある場合、全ての上記ネットワーク機器が備える記録手段に記録される識別情報及び状態情報を変更するようにしてもよい。
【００１６】
また、上記ネットワーク機器検索方法の状態情報は、上記ネットワーク機器の種類を示す種別情報、上記ネットワーク機器が配置されている位置を示す位置情報、上記ネットワーク機器が稼動しているか否かを示す稼動情報、上記ネットワーク機器が生産している製品の品種を示す品種情報、又は上記ネットワーク機器の生産効率を示す効率情報としてもよい。
【００１７】
上記ネットワーク機器とは、例えば、Ｗｅｂサーバ及びＷｅｂブラウザ搭載の織機やＷｅｂカメラなどを示し、上記状態情報とは、例えば、織機やＷｅｂカメラの位置情報、若しくは、織機やＷｅｂカメラが稼動しているか否かを示す稼動情報などを示す。
【００１８】
このように、状態情報に基づいて、ネットワーク機器を検索しているので、たとえ、多数のネットワーク機器がネットワークに接続されていても所望なネットワーク機器を容易に検索することが可能となる。これより、従来のネットワーク機器検索方法のように、ネットワーク機器の名前やＩＰアドレスなどに基づいて、ネットワーク機器を検索するよりユーザの負担を軽減し、且つ、効率良く目的のネットワーク機器の情報を得ることが可能となる。
【００１９】
また、本発明の範囲は、ネットワークに接続される複数のネットワーク機器の中から所望なネットワーク機器を検索するネットワーク機器検索装置にまで及ぶ。
【００２０】
【発明の実施の形態】
以下、本発明の実施の形態を図面を用いて説明する。
図１は、本発明の実施形態のネットワーク機器検索方法を説明するためのネットワーク機器の構成図である。
【００２１】
図１に示すように、織機等の産業用機械の動作を制御するための産業用装置１０、カメラ映像を配信するＷｅｂカメラ１１、産業用装置１０の状態を監視できるモニタリング装置１２、及び産業用装置１０やＷｅｂカメラ１１の所定データを集中管理するサーバ１３などのネットワーク機器がそれぞれＬＡＮなどのネットワーク１４に接続されている。
【００２２】
図２は、ネットワーク機器の構成の一例を示す図である。
図２に示すようにネットワーク機器は、ＣＰＵ（ＣｅｎｔｒａｌＰｒｏｃｅｓｓｉｎｇＵｎｉｔ）２０（検索手段）、メモリ２１（記録手段）、入力装置２２、出力装置２３（表示手段）、外部記憶装置２４（記録手段）、媒体駆動装置２５、及びネットワーク接続装置２６を備え、それらはバス２７により互いに接続されている。
【００２３】
メモリ２１は、例えば、ＲＯＭ（ＲｅａｄＯｎｌｙＭｅｍｏｒｙ）、ＲＡＭ（ＲａｎｄｏｍＡｃｃｅｓｓＭｅｍｏｒｙ）、フラッシュメモリ、ＳＲＡＭ（ＳｔａｔｉｃＲａｎｄｏｍＡｃｃｅｓｓＭｅｍｏｒｙ）、ＤＲＡＭ（ＤｙｎａｍｉｃＲａｎｄｏｍＡｃｃｅｓｓＭｅｍｏｒｙ）等を含み、処理に用いられるプログラムと後述するデータテーブルなどを格納する。ＣＰＵ２０は、メモリ２１を利用してプログラムを実行することにより、必要な処理を行う。
【００２４】
Ｗｅｂサーバ機能やＷｅｂブラウザ機能等がプログラムにより記述されたソフトウェアコンポーネントに対応し、それぞれ、メモリ２１内の特定のプログラムコードセグメントに格納される。
入力装置２２は、例えば、キーボード、マウス、又は撮像装置等を含み、ユーザからの指示や情報の入力に用いられる。
【００２５】
出力装置２３は、例えば、ディスプレイやスピーカ等を含み、ユーザへの問い合わせ、ｗｅｂページの情報等の出力に用いられる。また、入力装置２２と出力装置２３とが組み合わされることにより、例えば、産業用装置１０のＷｅｂブラウザとしてタッチパネル等を構成してもよい。
【００２６】
外部記憶装置２４は、例えば、磁気ディスク装置、光ディスク装置、光磁気ディスク（Ｍａｇｎｅｔｏ−ｏｐｔｉｃａｌＤｉｓｋ）装置等を含む。ユーザは、この外部記憶装置２４に後述するネットワーク機器の検索のためのデータテーブルなどを記録しておき、必要に応じて、それらをメモリ２１にロードして使用することができる。
【００２７】
媒体駆動装置２５は、可搬記録媒体２８（記録手段）を駆動し、その記録内容にアクセスする。可搬記録媒体２８としては、メモリカード、フレキシブルディスク、ＣＤ−ＲＯＭ（ＣｏｍｐａｃｔＤｉｓｋ−ＲｅａｄＯｎｌｙＭｅｍｏｒｙ）、光ディスク、光磁気ディスク等、任意のコンピュータ読み取り可能な記録媒体が用いられる。ユーザは、この可搬記録媒体２８に後述するネットワーク機器の検索のためのデータテーブルなどを格納しておき、必要に応じて、それらをメモリ２１にロードして使用することができる。
【００２８】
ネットワーク接続装置２６は、ネットワークインタフェースにより制御され、ＬＡＮ等の任意のネットワーク１４に接続して、通信に伴うデータ変換を行う。ネットワーク機器は、必要に応じて、ネットワーク接続装置２６を介して後述するネットワーク機器の検索のためのデータテーブルなどを外部の装置から受け取り、それらをメモリ２１にロードして使用することができる。
【００２９】
また、可搬記録媒体２８や外部のデータテーブルに保存されたプログラムとデータは、メモリ２１にロードされる。そして、ＣＰＵ２０は、そのデータを用いてそのプログラムを実行し、必要な処理を行う。
尚、後述の出力装置２３で表示される画面例等は、既存のプログラムやソフトウェア技術を利用すれば実現できるので、これら表示を行う処理の内容については特に説明をしない。
【００３０】
図３は、ネットワーク機器の動作を説明するためのフローチャートである。なお、ネットワーク機器は産業用装置１０として考える。
まず、ステップＳ１において、産業用装置１０は、ユーザに所望なネットワーク機器を選択させるための画面を作成する。
【００３１】
図４は、ユーザに所望なネットワーク機器を選択させるための画面の一例を示す図である。
図４に示すように、多数のネットワーク機器から所望なネットワーク機器を検索するためのキーワード欄４０が、画面の上方（図の上方）に設けられている。また、そのキーワード欄４０に所定のキーワードが入力されるか、或いは、所定のキーワード群の中から所定のキーワードが選択されることにより、その入力又は選択されたキーワードに基づくリンク４１が、画面の下方（図の下方）に表示される。そして、ユーザが、表示されたリンク４１の中から所望なリンク４１を選択（例えば、クリックや指押し）すると、図４に示す画面は、その選択されたリンク４１のＷｅｂコンテンツに基づく画面にジャンプする。
【００３２】
例えば、図４の例では、「装置種別」、「品種番号」、及び「状態」について、それぞれキーワードが変更できるようになっており、「装置種別」のキーワード欄４０には、「産業用装置」というキーワードが、「品種番号」のキーワード欄４０には、「Ａ０００２」というキーワードが、「状態」のキーワード欄に４０には、「ＳＴＯＰ」というキーワードがそれぞれ入力又は選択されている。そして、ネットワーク機器は、この「産業用装置」、「Ａ０００２」、及び「ＳＴＯＰ」に基づいて、多数のネットワーク機器から所定の９つのネットワーク機器（「装置１」〜「装置９」）を抽出し、画面に表示している。
【００３３】
図５は、図４に示す画面を作成するために必要なデータテーブル（以下、ＩＰテーブルという）の一例を示す図である。
図５に示すＩＰテーブル５０は、ネットワーク機器が備えるメモリ２１、外部記録装置２４、又は可搬記録媒体２８などに記録されるデータであり、ネットワーク機器毎の識別情報レコード５１（５１−１、５１−２、５１−３、・・・）が多数格納されている。各識別情報レコード５１は、ネットワーク機器の入力装置２２や可搬記録媒体２８などにより入力された例えば、ＩＰアドレス（識別情報）、ネットワーク機器の名称（識別情報）、ネットワーク機器の種別（種別情報、状態情報）、コンテンツパス、ネットワーク機器の位置（工場の敷地面積に対応する座標等）（位置情報、状態情報）、ネットワーク機器の現在の稼動状態を示す情報（稼動情報、状態情報）、ネットワーク機器が現在生産している製品の品種番号（品種情報、状態情報）を、それぞれ記録しているＩＰアドレス領域５２−１、名称領域５２−２、種別領域５２−３、コンテンツパス領域５２−４、位置領域５２−５、稼動状態領域５２−６、品種番号領域５２−７を備えている。図５に示す例では、先頭の識別情報レコード５１−１のＩＰアドレス領域５２−１に「１９２．１６８．１０．６６」、名称領域５２−２に「装置１」、種別領域５２−３に「産業用装置」、コンテンツパス領域５２−４に「―」、位置領域５２−５に「Ｓ０１」、状態領域５２−６に「ＳＴＯＰ」、品種番号領域５２−７に「Ａ０００２」と記録されている。なお、上記ネットワーク機器の現在の稼動状態を示す情報は、例えば、そのネットワーク機器が織布を製織する繊維機器である場合、その織布を製織する際に発生する糸切れや糸入れミスなどのエラー情報を含むようにしてもよい。
【００３４】
また、図４に示すような画面を、各ネットワーク機器が表示できるようにするためには、各ネットワーク機器が共通のＩＰテーブル５０をもつ必要がある。そのためには、ネットワーク機器の間でＩＰテーブル５０のデータの交換を行う必要がある。このデータ交換は、ネットワーク１４を媒体としてＩＰテーブル５０の全部又は一部のデータを交換することにより行われる。例えば、あるネットワーク機器で「名称」や「品種番号」の変更が実施された場合や、あるネットワーク機器で運転・停止などの「状態」の変化があった場合は、全てのネットワーク機器に対して、その変更があったネットワーク機器のＩＰアドレス、名称、・・・等の変更後のデータをＴＣＰ／ＩＰプロトコル通信などで送信する。そして、通信を受けた全てのネットワーク機器は、ＩＰテーブル５０を変更し、ユーザが画面の表示を要求したときに、常に最新の画面を表示できるようにする。
【００３５】
このように、画面は常に更新されるＩＰテーブル５０のデータを元に、ユーザの持つ目的（例えば、品種替えのために同一品種を生産するネットワーク機器の動作の設定をコピーすることや低効率なネットワーク機器を探してその履歴情報を参照することなど）に最適な画面をユーザに提供することができる。
【００３６】
次に、図３のステップＳ２において、ネットワーク機器は、作成した画面を出力装置２３に出力する。
次に、ステップＳ３において、ネットワーク機器は、ユーザによってキーワード欄４０のキーワードが変更されたか、又は、ユーザによってリンク４１が選択されたかを判断する。
【００３７】
ユーザによってキーワードが変更されたと判断した場合（ステップＳ３が変更）、ステップＳ４において、ネットワーク機器は、変更されたキーワードに基づいて、ベータベース５０を検索し、所定の識別情報レコード５１を抽出する。そして、ステップＳ１に戻り、変更されたキーワードに基づく画面を作成する。
【００３８】
一方、ユーザによってリンク４１が選択されたと判断した場合（ステップＳ３が選択）、ステップＳ５において、ネットワーク機器は、選択されたリンク４１にジャンプする。
このように、例えば、ネットワーク機器は、図４の画面上において、キーワードとして、「産業用装置」、「ＳＴＯＰ」、及び「Ａ０００２」が入力又は選択されると、これら全てのキーワードの条件を満たす識別情報レコード５１−１〜５１−９を取り出し、その識別情報レコード５１−１〜５１−９に基づいて所定の「装置１」〜「装置９」のリンク４１を表示させる。そして、次に、例えば、ユーザにより「装置１」が指定されたとすると、ネットワーク機器は、識別レコード５１−１のＩＰアドレス領域５２−１のＩＰアドレス及びコンテンツパス領域５２−４のコンテンツパスに基づいて画面をジャンプさせる。なお、この検索のためのキーワード欄４０は、図４の例では「装置種別」、「品種番号」、及び「状態」を示しているが、ＩＰテーブル５０内にある領域であれば、それらの領域を用途に合わせて任意に組合わせて画面に表示させてもよい。また、キーワード欄４０は、１つ以上表示されるように構成してもよい。
【００３９】
このように、本実施形態のネットワーク機器検索方法の特徴とする点は、図４に示すような画面をネットワーク機器のＷｅｂブラウザなどに表示させ、ユーザにネットワーク機器の状態情報（例えば、稼動状態情報や生産品種情報など）を指定させ、所望なネットワーク機器を検索している点である。
【００４０】
これより、ユーザはＷｅｂブラウザにＵＲＬを入力すること無しに、目的のネットワーク機器（例えば、現在停止しているネットワーク機器など）を容易に選択することができるので、例えば、ネットワーク機器が何千台とある大規模な工場においても、ユーザに負担をかけることなく、且つ、効率良く目的のネットワーク機器を選択することが可能となる。
【００４１】
＜その他の実施形態＞
本発明は、上記実施の形態に限定されるものではなく、各請求項に記載した範囲において、種々の構成を採用可能である。例えば、以下のような構成変更も可能である。
【００４２】
（１）上記実施形態のＩＰテーブル５０では、ＩＰアドレス領域５２−１、名称領域５２−２、種別領域５２−３、コンテンツパス領域５２−４、位置領域５２−５、稼動状態領域５２−６、及び品種番号領域５２−７を備える構成であるが、これらの領域の他にも、例えば、ネットワーク機器の現在の生産効率（効率情報、状態情報）を記録する効率領域やネットワーク機器の備えるモータ等の回転数を記録する回転数領域など、様々な領域を備える構成としてもよい。
【００４３】
（２）また、上記実施形態のＩＰテーブル５０では、複数の領域を備えて構成されているが、１つ以上の領域で構成されてもよい。
（３）また、ＩＰテーブル５０に位置領域５２−５がある場合は、この位置領域５２−５の位置データを元に、工場レイアウトを作成して画面に表示し、その工場レイアウト内に配置されるネットワーク機器を、例えば、指で押すことにより、目的のネットワーク機器の情報を参照できるように構成してもよい。このように、グラフィカルな画面を作成することにより、ユーザは、更に容易に所望なネットワーク機器を選択することができる。
【００４４】
（４）また、ＩＰテーブル５０は、ネットワーク１４介してデータを更新する方法の他にも、メモリカードなどの可搬記録媒体２８によりデータを更新したり、ネットワーク機器毎にＩＰテーブル５０の変更用インターフェイスを用意して手入力によりデータを更新したり、また、それらを組合わせてデータを更新することが考えられる。
【００４５】
（５）また、ＩＰテーブル５０のデータを交換するためのコンピュータをネットワーク１４に設け、そのコンピュータを介して、変更されたＩＰテーブル５０の一部又は全てを、全てのネットワーク機器に送信することも可能である。これより、ネットワーク機器のＣＰＵ２０に負荷をかけずにＩＰテーブル５０の更新を行うことができる。
【００４６】
【発明の効果】
以上、本発明よれば、ネットワーク機器の状態情報（例えば、稼動状態情報や生産品種情報など）に基づいて、ネットワーク機器を検索することができるので、たとえ、ネットワークに接続されるネットワーク機器が多数であってもユーザは所望なネットワーク機器を容易に選択することが可能となる。これより、従来のネットワーク機器検索方法のように、機器の名前やＩＰアドレスなどに基づいて、所定のネットワーク機器を検索するよりユーザの負担を軽減し、効率良く目的のネットワーク機器の情報を得ることが可能となる。
【図面の簡単な説明】
【図１】本発明の実施形態のネットワーク機器検索方法を説明するためのネットワーク構成図である。
【図２】ネットワーク機器の構成の一例を示す図である。
【図３】ネットワーク機器の動作を説明するためのフローチャートである。
【図４】ネットワーク機器が備える出力装置に表示される画面の一例を示す図である。
【図５】ネットワーク機器に記録されるデータテーブルの一例を示す図である。
【符号の説明】
１０  産業用装置
１１  Ｗｅｂカメラ
１２  モニタリング装置
１３  サーバ
１４  ネットワーク
２０  ＣＰＵ
２１  メモリ
２２  入力装置
２３  出力装置
２４  外部記憶装置
２５  媒体駆動装置
２６  ネットワーク接続装置
２７  バス
２８  可搬記録媒体
５０  ＩＰテーブル
５１  識別情報テーブル
５２−１  ＩＰアドレス領域
５２−２  名称領域
５２−３  種別領域
５２−４  コンテンツパス領域
５２−５  位置領域
５２−６  稼動状態領域
５２−７  品種番号領域
【図１】
2004302561.tif 000003
【図２】
2004302561.tif 000004
【図３】
2004302561.tif 000005
【図４】
2004302561.tif 000006
【図５】
2004302561.tif 000007